(57)【要約】【課題】風圧に基づいて起こるギャロッピングやダンシングを防ぐことができるという耐風特性に優れ、しかも従来とほぼ同等の製造工程である装置によって容易に製造することができる経済的な光ドロップケーブルを提供する。【解決手段】本実施例の光ドロップケーブル１００は、支持線部１０と、これに捻回される光ファイバケーブル部２０と、これらを結合する連結部３０とが一体に形成されて構成される。また、光ドロップケーブル１００を垂直方向任意の位置で断面したときに、光ファイバケーブル部２０は、連結部３０の中央３１を中心として支持線部１０とほぼ同一断面の円盤状形体１１であって対称配置されることを基本として、垂直方向の高さ寸法ａとｃの関係はａ≧ｃとされ、垂直方向の外径２１、２３はほぼ同一断面の円盤状形体１１を保持し、左右の両端部側外線２５、２７は、円盤状形体１１を欠落させた直線状又は曲線状に形成される。【選択図】図１
2014164235.tif 000002
【特許請求の範囲】
【請求項１】
断面円盤状の支持線部と、該支持線部の周囲を周期的に反転して捻回して設けられる光ファイバケーブル部と、前記支持線部と光ファイバケーブル部とを結合する連結部とが一体に形成され、前記光ファイバケーブル部が、光ファイバ心線と、該光ファイバ心線の両側に、該光ファイバ心線の光軸である長手方向に設けられる抗張力体と、前記光ファイバ心線と抗張力体を被覆するシースとから形成される光ドロップケーブルにおいて、
該光ドロップケーブルを垂直方向任意の位置で断面したときに、前記光ファイバケーブル部は、前記連結部の中央を中心として前記支持線部とほぼ同一断面の円盤状形体であって対称配置されることを基本として、前記連結部の中央から前記支持部の上端までの垂直方向の距離をａとし、前記連結部の中央から前記光ファイバケーブル部の下端までの垂直方向の距離をｃとするときに、ａ≧ｃとされ、前記支持線部の外径をＡとし、前記光ファイバケーブル部の幅をｄとするときにＡ≧ｄとされ、垂直方向の支持線部側および反対側外径はほぼ同一断面の円盤状形体を保持し、左右の両端部側外線は、円盤状形体を欠落させた直線状又は曲線状に形成されたこと
を特徴とする光ドロップケーブル。
【請求項２】
請求項１において、前記光ファイバケーブル部は、垂直方向の支持線部側および反対側外径のトータル外径が、前記基本となる円盤状形体の断面の外径の半分以上を保持することを特徴とする光ドロップケーブル。
【請求項３】
請求項２において、前記左右の両端部側外線は、円盤状形体を欠落させた直線状に形成されることを特徴とする光ドロップケーブル。
【請求項４】
請求項１において、前記左右の両端部側の双方の外線からなる部分にノッチが形成されることを特徴とする光ドロップケーブル。
【請求項５】
請求項１から４のいずれかにおいて、前記捻回の１周期の長さは５００ｍｍ以上８０００ｍｍ以内であることを特徴とする光ドロップケーブル。
【発明の詳細な説明】
【技術分野】
【０００１】
本発明は、光通信に用いられる光ファイバケーブルのうち、架空に敷設されている架空配線ケーブルから一般住宅、ビル等の各光加入者宅内等へ光ファイバを引き落とす際に使用される光ドロップケーブルに関するものである。
【背景技術】
【０００２】
近年、ＦＴＴＨ（Ｆｉｂｅｒ  Ｔｏ  Ｔｈｅ  Ｈｏｍｅ）の発展により、各光加入者宅等への光ファイバの配線が行われるようになっている。その際に使用される光ファイバケーブルは光ドロップケーブルと呼ばれ、例えば、後述する特許文献１に記載の構造のものが使用されている。
【０００３】
この種の光ドロップケーブルは、光ファイバケーブル部と、支持線部と、これら光ファイバケーブル部と支持線部とを一体的に連結する連結部とからなる。
【０００４】
また、光ファイバケーブル部は、光ファイバ心線と、この光ファイバ心線の長手方向に平行に並んで両側に配置された２本の抗張力体と、これらを被覆する樹脂被覆部とで構成されている。
【０００５】
また、この光ファイバケーブル部には、必要に応じてノッチが形成される。このノッチは、光ドロップケーブルから光ファイバ心線を取り出す際の引き裂部として機能する。
【０００６】
また、上記支持線部は、断面円状の鋼線と、この鋼線の外周を被覆する樹脂被覆部とで構成されている。
【０００７】
また、上記連結部は、上記光ファイバケーブル部と支持線部とを一体に連結するための樹脂で構成されている。そして、これら光ファイバケーブル部の樹脂被覆部と支持線部の樹脂被覆部および連結部を構成する樹脂は、主として同一の樹脂で一体的に形成されている。
【０００８】
また、上述した光ファイバ心線、２本の抗張力体、連結部および支持線部は、光ドロップケーブルの長手方向に垂直な面の断面内において一直線上に配列される。
【０００９】
以上の構成である光ドロップケーブルは、支持線部が上側に位置し、その下側に光ファイバケーブル部が位置する姿勢で架空配線されることが一般的であって、強風が横方向から吹いた時に、光ドロップケーブルの断面形状に起因した揚力がこの光ドロップケーブルに働き、この揚力に基づいて光ドロップケーブルが上下に自励震動を起こすギャロッピング現象や低周波振動のダンシング現象が起こることがある。
【００１０】
このギャロッピング現象が光ドロップケーブルに対して起こると、通常の強風では起こり得ない振動が継続し、この継続する振動に基づいて、過張力による光ドロップケーブルの破断や伝送特性の低下、周囲の物に当たることでの破損等の問題が懸念される。
【００１１】
そこで、上述のような問題を解決するものとして、例えば特許文献１には、少なくとも１本の光ファイバ心線と、当該光ファイバ心線の両側に光ファイバ心線と長手方向に平行に並んで配置されたテンションメンバを備え、上記光ファイバ心線および上記テンションメンバを被覆する第１被覆部を有する本体部と、支持線と、当該支持線を被覆する第２被覆部を有する支持部と、上記第１被覆部と上記第２被覆部と一体的に形成され、上記本体部および上記支持部を連結する連結部を備えた光ファイバケーブルにおいて、上記本体部の短径が２．０ｍｍ、長径が３．１ｍｍ、上記支持部の外径が２．８ｍｍおよび上記連結部の高さが０．１８ｍｍとされた光ファイバケーブルが提案されている。
【００１２】
また、風圧に対する対策を講じた光ドロップケーブルの例として、特許文献２には、断面長方形のケーブル部と支持線部と首部とを有する光ファイバドロップケーブルであって、上記ケーブル部の短辺の寸法２．０±０．２ｍｍ、長辺の寸法３．１±０．２、上記支持線部の外径３．０ｍｍ以下とし、上記ケーブル部から上記支持線部までのケーブルの全高と上記首部の第１の方向における高さの関係を規定した自己支持型ケーブルが提案されている。
【００１３】
また、風圧荷重の低減を図るためのケーブル構造を適用した例として、特許文献３には、光ファイバケーブルを支持線の周囲に回転させて構成され、上記光ファイバケーブルが上記支持線の周りを所定数回転するごとに、上記光ファイバケーブルと上記支持線とを固定する接合部を有しており、上記光ファイバケーブルの巻き付ける向きが、上記接合部を基点として反転して構成されている、いわゆるＳＺ撚り構造の架空光ファイバケーブルが提案されている。
【００１４】
上述の提案によれば、ギャロッピング又はダンシングを抑制する効果が生じ、耐風特性が向上した光ドロップケーブルを提供することができる。
【先行技術文献】
【特許文献】
【００１５】
【特許文献１】特開２００９−１０９９８３号公報
【特許文献２】特開２０１２−４７９５７号公報
【特許文献３】特開２００９−３６８３４号公報
【発明の概要】
【発明が解決しようとする課題】
【００１６】
上述したような構造において、ＳＺ撚り構造を採用することは光ドロップケーブル部が受ける風の風圧による力を分散するのに効果的である。
【００１７】
特許文献１に記載の光ファイバケーブルは、仮にＳＺ撚りの構造とする場合に、支持部の断面形状が円盤状であるのに対して、本体部の断面形状が両端に直線部を有する長円状に形成されており、これらの形状は著しく異なるものであり、特に本体部の高さが支持部の径よりも大きいために、これらが受ける風の条件によっては、この風に基づく揚力が発生し振動が始まり易くなり、更にこの風より受ける風圧により振動が大きくなり、大振幅かつ低周波数の自励振動が起こることで、ダンシングやギャロッピングが発生し易くなってしまう。
【００１８】
また、特許文献２に記載の自己支持型ケーブルは、ケーブル部と支持線部と連結部の寸法を最適化することで敷設後にギャロッピング現象が起こらないようにしているのみであって、ケーブル部と支持線部とが連結部で連結されていないためにケーブル部が支持線部の長手方向に対して回転してしまうので、ギャロッピング現象対策には不十分である。
【００１９】
また、特許文献３に記載の架空光ファイバケーブルは、光ファイバケーブルを支持線の周りに所定数回転するごとに光ファイバケーブルと支持線を連結する接合部を有しており、光ファイバケーブルを巻きつける向きは接合部を起点として反転した構造となっている。この構造は、ギャロッピング現象抑制には一定の効果があるが、光ファイバケーブルと支持線は間歇的に連結されているため、接合部以外の箇所は横風によって高周波の振動起点になるとともに、接合部は別途工程によって接合されるため、工数の増加をもたらすなど経済上の問題が生じる。
【００２０】
本発明は、かかる点に鑑みて、光ドロップケーブルが受ける風に基づいて起こるギャロッピングやダンシングを防ぐことができて耐風特性に優れ、しかも従来とほぼ同等の製造工程である装置によって容易に製造することができる経済的な光ドロップケーブルを提供することを目的とする。
【課題を解決するための手段】
【００２１】
本発明の光ドロップケーブルは、次のように構成される。断面円盤状の支持線部と、該支持線部の周囲を周期的に反転して捻回して設けられる光ファイバケーブル部と、前記支持線部と光ファイバケーブル部とを結合する連結部とが一体に形成され、前記光ファイバケーブル部が、光ファイバ心線と、該光ファイバ心線の両側に、該光ファイバ心線の光軸である長手方向に設けられる抗張力体と、前記光ファイバ心線と抗張力体を被覆するシースとから形成される光ドロップケーブルにおいて、
該光ドロップケーブルを垂直方向任意の位置で断面したときに、前記光ファイバケーブル部は、前記連結部の中央を中心として前記支持線部とほぼ同一断面の円盤状形体であって対称配置されることを基本として、前記連結部の中央から前記支持部の上端までの垂直方向の距離をａとし、前記連結部の中央から前記光ファイバケーブル部の下端までの垂直方向の距離をｃとするときに、ａ≧ｃとされ、前記支持線部の外径をＡとし、前記光ファイバケーブル部の幅をｄとするときにＡ≧ｄとされ、垂直方向の支持線部側および反対側外径はほぼ同一断面の円盤状形体を保持し、左右の両端部側外線は、円盤状形体を欠落させた直線状又は曲線状に形成されたこと
を特徴とする光ドロップケーブル。
【００２２】
本発明の光ドロップケーブルは、また、次のように構成される。前記光ファイバケーブル部は、垂直方向の支持線部側および反対側外径のトータル外径が、前記基本となる円盤状形体の断面の外径の半分以上を保持することを特徴とする光ドロップケーブル。
【００２３】
本発明の光ドロップケーブルは、また、次のように構成される。前記左右の両端部側外線は、円盤状形体を欠落させた直線状に形成されることを特徴とする光ドロップケーブル。
【００２４】
本発明の光ドロップケーブルは、また、次のように構成される。前記左右の両端部側の双方の外線からなる部分にノッチが形成されることを特徴とする光ドロップケーブル。
【００２５】
本発明の光ドロップケーブルは、また、次のように構成される。前記捻回の１周期の長さは５００ｍｍ以上８０００ｍｍ以内であることを特徴とする光ドロップケーブル。
【発明の効果】
【００２６】
本発明の光ドロップケーブルは、上述のように構成しているので、架空配設時にこの光ドロップケーブルが風による風圧を受けた際に、光ドロップケーブルが受ける風に基づいて起こるギャロッピングやダンシングを防ぐことができるという耐風特性に優れ、しかも従来とほぼ同等の製造工程である装置によって容易に製造することができる経済的な光ドロップケーブルを提供することができる。
【図面の簡単な説明】
【００２７】
【図１】本発明の実施例である光ドロップケーブルの構成を示す上下縦断面図である。
【図２】本発明の実施例である光ドロップケーブルの製造方法を説明する図である。
【図３】本発明の別の実施例の光ドロップケーブルの構成を示す上下縦断面図である。
【図４】本発明の実施例である光ドロップケーブルの上下縦断面図であり、反転角度を±１８０°とした例であって、（ａ）はθ（捻回角度）が０°（基準位置）、（ｂ）はθ＝１８０°、（ｃ）はθ＝０°、（ｄ）は−１８０°および（ｅ）はθ＝０°（基準位置）に戻るときの光ファイバケーブルの各捻回状態を説明する図である。
【図５】本発明の実施例である光ドロップケーブルの上下縦断面図であり、反転角度を±９０°とした例であって、（ａ）はθ（捻回角度）が０°（基準位置）、（ｂ）はθ＝９０°、（ｃ）はθ＝０°、（ｄ）は−９０°および（ｅ）はθ＝０°（基準位置）に戻るときの光ファイバケーブルの各捻回状態を説明する図である。
【図６】架空配線したときの本実施例の光ドロップケーブルが水平方向からの風による風圧を受ける有効投影面積を側面図にて表した図であって、捻回角度を±１８０°とした例の有効投影面積を示す。
【図７】図５の光ドロップケーブルの構成を示す概略斜視図である。
【図８】図８（ａ）は、架空配線したときの本実施例の光ドロップケーブルが水平方向からの風による風圧を受ける有効投影面積を側面図にて表した図であり、捻回角度を±９０°とした例について示しており、図８（ｂ）は、光ファイバケーブル部の両端側外線を、図８（ａ）と比較して円盤状形体をより欠落させた場合の例を示す。
【発明を実施するための形態】
【００２８】
以下、本発明の実施例を図面に基づいて説明する。なお、以下説明する実施例では、支持線部に対する光ファイバケーブル部の捻回角度を±９０°、±１８０°についての例について説明するが、別の捻回角度であっても、上述の効果を奏することができる。また、以下の実施例および図の説明において、同様の構成については同符号で示す。
【実施例】
【００２９】
図１は、本発明の実施例である光ドロップケーブルの構成を示す上下縦断面図である。本実施例の光ドロップケーブル１００は、断面円盤状の支持線部１０と、この支持線部１０の周囲を周期的に反転して捻回して設けられる光ファイバケーブル部２０と、これら支持線部１０と光ファイバケーブル部２０とを結合する連結部３０とが一体に形成されて構成されている。
【００３０】
すなわち、本実施例の光ドロップケーブル１００は、光ファイバケーブル部２０が支持線部１０の周囲をＳＺ撚りして設けられて構成されている。
【００３１】
また、この光ドロップケーブル１００において、光ファイバケーブル部２０が、光ファイバ心線２２と、この光ファイバ心線２２の両側に、光ファイバ心線２２の光軸である長手方向に設けられる抗張力体２４と、これら光ファイバ心線２２と抗張力体２４を被覆する被覆部となるシース２６とから形成される。
【００３２】
そして、光ドロップケーブル１００を垂直方向任意の位置で断面したときに、この光ファイバケーブル部２０は、連結部３０の中央３１を中心として支持線部１０とほぼ同一断面の点線で示す円盤状形体１１であって対称配置されることを基本として、連結部３０の中央３１から支持部１０の上端１０Ａまでの垂直方向の距離を寸法ａとし、連結部３０の中央３１から光ファイバケーブル部２０の下端２０Ａまでの垂直方向の距離を寸法ｃとするときに、ａ≧ｃとされ、また、支持線部１０の外径をＡとし、光ファイバケーブル部２０の幅をｄとするときにＡ≧ｄとされ、垂直方向の支持線部側および反対側外径２１、２３はほぼ同一断面の円盤状形体１１を保持し、左右の両端部側外線２５、２７は、円盤状形体１１を欠落させた直線状又は曲線状に形成される。なお、図１に示す線３は、連結部３０の中央３１と交わり、水平方向へ延長した線であり、上記寸法ａ、ｃの基準となる寸法補助線である。
【００３３】
以下、上述した本実施例の光ドロップケーブル１００の構成について詳述する。図１に示すように、支持線部１０は、日本工業規格（ＪＩＳ）に規定される外径が１．２ｍｍでピアノ線材となる炭素含有量０．６０〜０．９５％の高炭素鋼線材からなる一本の鋼線１２と、この鋼線１２の周囲を一括被覆する難燃性ポリエチレン等の高分子化合物からなる被覆部であるシース１４とからなる断面円形状の線材である。この支持線１０は、外径が２ｍｍであり、光ファイバケーブル部２０を後述する連結部３０を介して支持し、抗張力を向上する機能を有する。
【００３４】
光ファイバケーブル部２０を構成する光ファイバ心線２２は、外径０．２５ｍｍで単心のものが用いられる。また、テンションメンバである抗張力体２４は、外径０．５ｍｍで無誘電体材料であるアラミドＦＲＰ（繊維強化プラスチック）からなる。また、シース２６は、上述のシース１４同様に難燃性ポリエチレン等の高分子化合物からなり、このシース２６によって光ファイバ心線２２と抗張力体２４の周囲を一括被覆している。
【００３５】
また、本実施例では、光ファイバケーブル部２０は、高さが２．０ｍｍ、幅が１．６ｍｍに形成されており、支持線の外径よりも左右両端の幅が小さい値となっている。
【００３６】
また、連結部３０は、高さ、幅ともに支持線部１０の外径や光ファイバケーブル部２０の高さ、幅よりも小さい値にて形成され、例えば高さは０．１ｍｍ〜１ｍｍ程度、幅は０．１５〜０．６ｍｍ程度とされる。また、この連結部３０は、上述のシース１４、２６と同様に難燃性ポリエチレン等の高分子化合物からなる。
【００３７】
このように、本実施例では、これらシース１４、２６、連結部３０は同じ材料で一体に形成されている。すなわち、シース１４、２６、連結部３０は支持線部１０と光ファイバケーブル部２０の周囲を一括被覆する一体のシースとなる。以下、これらシース１４、２６、連結部３０をまとめてシース体４０とも称する。
【００３８】
故に、本実施例の光ドロップケーブル１００は、これら支持線部１０と光ファイバケーブル部２０と、これらを結合する連結部３０とが一体に形成されている。また、このようにシース１４、２６、連結部３０は同じ材料を用いることで、光ドロップケーブル１００の製造時に、容易に一体に成形することができる。
【００３９】
なお、上述の鋼線１２、光ファイバケーブル部２０、光ファイバ心線２２および抗張力体２４は、上述の本発明の効果を達成できるものであれば別の寸法や材質であってもよい。また、同様の理由で、鋼線１２、光ファイバ心線２２は、複数本を光ファイバ心線の光軸である長手方向に配置して構成してもよく、またシース体４０の材料や着色も限られない。
【００４０】
また、本実施例の光ドロップケーブル１００を垂直方向任意の位置で断面したときに、光ファイバケーブル部２０の断面形状は、図１に示す形状となる。この光ファイバケーブル部２０の断面形状は、連結部３０の中央３１を中心として支持線部１０と同一断面の点線で示す円盤状形体１１のように基本的に対称配置される。これはすなわち、光ファイバケーブル部２０の断面形状は、支持線部１０の断面形状の同一形状である円盤状形体１１と近似するものであって、同一形状ではないことを示している。
【００４１】
なお、光ファイバケーブル部２０の断面形状は、支持線部１０の円盤状である断面形状に近い方がよく、かつ支持線部１０の断面形状を基準として、支持線部１０の断面形状と異なる形状にならないように、すなわち支持線部１０の断面形状を保持するようにし、特に、垂直方向の支持線部側および反対側外径２１、２３はほぼ同一断面の円盤状形体１１を保持し、左右の両端部側外線２５、２７が円盤状形体１１を欠落させた直線状又は曲線状に形成することにより後述する耐風特性の優れる光ドロップケーブルを提供することができる。
【００４２】
具体的には、光ファイバケーブル部２０の幅は、支持線部１０よりも両端がｇの幅だけ小さくなる。また、光ファイバケーブル部２０の高さは、支持線部１０の外径寸法とほぼ一致しており、支持線部１０の断面形状に近似した円盤状断面が形成されており、ａ≧ｃとされる。すなわち、連結部３０の中央３１から光ファイバケーブル部２０の下端２０Ａまでの垂直方向の距離ｃは、連結部３０の中央から支持部１０の上端１０Ａまでの垂直方向の距離ａよりも大きくはならない。また、支持線部１０の外径Ａと、光ファイバケーブル部２０の幅ｄの寸法はＡ≧ｄとされる。すなわち、光ファイバケーブル部２０の幅ｄは、支持線部１０の外径Ａよりも大きくはならない。本実施例では、以上のように光ファイバケーブル部２０の断面形状を形成することで、後述するように耐風特性の優れた構造とすることができる。
【００４３】
次に、上述の本実施例の光ドロップケーブル１００の製造方法について、図２を用いて説明する。
【００４４】
図２は、本実施例の光ドロップケーブルの製造手順を説明する図である。まず、鋼線１２の繰り出し（Ｓ１）、光ファイバ心線２２および抗張力体２４の繰り出しが行われる（Ｓ２）。ここで、Ｓ２において、光ファイバ心線２２の両側におよび光ファイバ心線２２の光軸である長手方向に抗張力体２４がそれぞれ設けられる。
【００４５】
次に、上記工程で繰り出された鋼線１２、光ファイバ心線２２および抗張力体２４は、シース１４、２６および連結部３０とからなるシース体４０によって一括被覆される（Ｓ３）。ここで支持線部１０および光ファイバケーブル部２０が形成される。
【００４６】
次に、この形成された光ファイバケーブル部２０は、支持線部１０の中心軸を回転軸として回転される（Ｓ４）。ここで、支持線部１０の周囲に光ファイバケーブル部２０が捻回されて撚られていく。
【００４７】
次に、この支持線部１０の周りを回転して設けられた光ファイバケーブル部２０は、所定の角度θで捻回方向ｒを反転される（Ｓ５）（以下、この反転される角度θを反転角度と称する。）。ここで、支持線部１０の周囲に光ファイバケーブル部２０がＳＺ撚りされていく。そして、所定の撚り周期Ｔにて繰り返し上述のごとくＳＺ撚りを行い、最後に冷却等の処理がなされて光ドロップケーブル１００が製造される（Ｓ６）。
【００４８】
上述の本実施例の光ドロップケーブルの製造方法によれば、以上のように、鋼線１２、光ファイバ心線２２および抗張力体２４がシース体４０で一括被覆し、光ファイバケーブル部２０を支持線１０の周りをＳＺ撚りすることで、従来とほぼ同等の製造工程である装置によって容易に光ドロップケーブルを製造することができる。
【００４９】
図３は、本発明の別の実施例の光ドロップケーブルの構成を示す上下縦断面図である。この実施例の光ドロップケーブル１００は、図３に示すように、垂直方向の支持線部側および反対側外径２１、２３はほぼ同一断面の円盤状形体１１を保持し、左右の両端部側外線２５、２７は、円盤状形体１１を欠落させた直線状すなわち直線部２９を設けて形成してもよい。この例においても、光ファイバケーブル部２０の断面形状は、連結部３０の中央３１を中心として支持線部１０と同一断面の点線で示す円盤状形体１１のように基本的に対称配置される。これはすなわち、光ファイバケーブル部２０の断面形状は、支持線部１０の断面形状の同一形状である円盤状形体１１と近似するものであって、同一形状ではないことを示している。この構成でも、上述の実施例の光ドロップケーブルと同様の効果を奏することができる。
【００５０】
次に、図４、図５を用いて、本実施例の光ドロップケーブル１００の光ファイバケーブル部２０が支持線部１０の周囲に捻回される状況を説明する。
【００５１】
なお、図４、図５に示す本実施例では、基準配置位置Ｏを基準（角度θ＝０°）としており、各図で示す記号について、Ａ：支持線部１０の外径、Ｂ：連結部３０の高さ、Ｃ：光ファイバケーブル部２０の高さ、ｄ：光ファイバケーブル部２０の幅、Ｌ：光ドロップケーブル１００の高さである。
【００５２】
また、図４、図５に示す本実施例では、光ファイバケーブル部２０が支持線部１０の中心軸を回転軸として、回転されてすなわち支持線部１０の周囲に捻回されて設けられる。この支持線部１０に捻回される光ファイバケーブル部２０は、基準配置位置Ｏを始点として、各図で示す（ａ）から（ｅ）までを１周期として所定の角度ごとに反転して設けられる。
【００５３】
この際、光ファイバケーブル部２０は、支持線部１０の中心軸を回転軸として回転され捻回されるので、周期Ｔの長さは１ピッチとして支持線１０の長さで表される。すなわち、支持線部１０の長さで光ファイバケーブル部２０の撚り周期が表される。以下、この周期Ｔを撚り周期もしくは捻回周期Ｔとも称する。
【００５４】
ここで、上記の基準配置位置Ｏは、光ファイバケーブル部２０が支持線部１０に対して鉛直方向（垂直方向）にある位置としているが、別の位置、例えば支持線部１０に対して左右（水平方向）の位置を基準配置位置Ｏとしても、上記の基準配置位置Ｏを光ファイバケーブル部２０が支持線部１０に対して鉛直方向（垂直方向）にある位置とした場合の１周期の内のいずれかの位置と対応するために、同一の効果を奏することができる。ただし、この場合は、捻回方向ｒが反時計回りの場合と時計回りの場合の反転角度はそれぞれ異なることになる。
【００５５】
従って、光ファイバケーブル部２０は、支持線部１０の中心軸を回転軸として回転され、この光ファイバケーブル部２０の基準配置位置Ｏの角度を０°としたときに、この基準配置位置Ｏの角度に対して所定の角度ごとに捻回方向ｒが反転されるように構成される。
【００５６】
図４は、反転角度を±１８０°とした例であって、（ａ）はθ（捻回角度）が０°（基準位置）、（ｂ）はθ＝１８０°、（ｃ）はθ＝０°、（ｄ）は−１８０°および（ｅ）はθ＝０°（基準位置）に戻るときの光ファイバケーブルの各捻回状態を説明する図である。
【００５７】
図４（ａ）は、光ファイバケーブル部２０が基準配置位置、撚り周期Ｔ＝０のときの状態である。光ファイバケーブル部２０の捻回角度θ＝０°である。捻回方向ｒは、図に示すように反時計回りとなっている。図４（ｂ）は、撚り周期Ｔ＝１／４のときの状態である。光ファイバケーブル部２０の捻回角度θ＝１８０°となっている。この際、θ＝１８０°に達しているので捻回方向ｒは反転して反対方向、すなわち時計回りとなる。図４（ｃ）は、撚り周期Ｔ＝２／４（１／２）のときの状態である。捻回方向ｒが反転しているので光ファイバケーブル部２０の捻回角度θ＝０°に戻っている。図４（ｄ）は、撚り周期Ｔ＝３／４のときの状態である。光ファイバケーブル部２０の捻回角度θ＝−１８０°となっている。この際、捻回方向ｒは、θ＝＝−１８０°に達しているので反転して反対方向、すなわち再び反時計回りとなる。図４（ｅ）は、撚り周期Ｔ＝４／４（Ｔ＝１）のときの状態である。捻回方向ｒが反転しているので光ファイバケーブル部２０の捻回角度θ＝０°に戻っている。
【００５８】
このようにして、光ファイバケーブル部２０は、１周期の内に捻回方向を反転して支持線部１０の周りに捻回して撚られるので、ＳＺ撚りの形式で支持線部１０の周りに撚られることとなる。このようにして、本実施例の光ドロップケーブル１００は、光ファイバケーブル部２０が支持線部１０の周囲をＳＺ撚りして設けられて構成されている。
【００５９】
図５は、本発明の実施例である光ドロップケーブルの上下縦断面図であり、反転角度を±９０°とした例であって、（ａ）はθ（捻回角度）が０°（基準位置）、（ｂ）はθ＝９０°、（ｃ）はθ＝０°、（ｄ）は−９０°および（ｅ）はθ＝０°（基準位置）に戻るときの光ファイバケーブルの各捻回状態を説明する図である。この例においても、捻回角度θが±９０°で捻回方向が反転される点が異なるだけであって、上述の図４で示した例と同様に、光ドロップケーブル１００は、光ファイバケーブル部２０が支持線部１０の周囲をＳＺ撚りして設けられて構成されている。
【００６０】
図６は、架空配線したときの本実施例の光ドロップケーブルが水平方向からの風による風圧を受ける有効投影面積を側面図にて表した図であって、捻回角度を±１８０°とした例の有効投影面積を示す。
【００６１】
また図７は、捻回角度を±９０°とした例の光ドロップケーブルの構成を示す概略斜視図である。
【００６２】
また図８（ａ）は、架空配線したときの本実施例の光ドロップケーブルが水平方向からの風による風圧を受ける有効投影面積を側面図にて表した図であり、捻回角度を±９０°とした例について示しており、図８（ｂ）は、光ファイバケーブル部の両端側外線を、図８（ａ）と比較して円盤状形体をより欠落させた場合の例を示す。
【００６３】
ここで、上記風の方向は図４や図５の矢印に示すように横方向（水平方向）から流れた場合である。ここで、風の方向を光ドロップケーブルに対し横方向としたのは、この方向が光ドロップケーブルのギャロッピングやダンシングの発生に際し最も影響が大きくなるとされるためである。
【００６４】
この風による風圧が光ファイバケーブル部２０に対して与える力は、図６に示すように、この風が接触する光ファイバケーブル部２０の有効投影面積で決まり、図６の場合においては、光ファイバケーブル部２０の光軸である長手方向の長さと、図４、図５で示すように、支持線部１０の外径Ａ、連結部３０の高さＢ、光ファイバケーブル部２０の高さＣを鉛直方向に順に加えてＡ＋Ｂ＋Ｃ＋Ｂ＋ＣすなわちＡ＋２Ｂ＋２Ｃの長さで光ファイバケーブル部２０の有効投影面積Ｄ４が導き出される。なお、支持線部１０の有効投影面積Ｄ１は、図６、図８（ａ）、（ｂ）いずれの場合においても、支持線部１０の径と長手方向の長さとにより導き出される。
【００６５】
また、図８（ａ）、（ｂ）に示す例においては、光ファイバケーブル部２０の光軸である長手方向の長さと、上記寸法Ａ＋Ｂ＋Ｃ（＝Ｌ）の長さで光ファイバケーブル部２０の有効投影面積Ｄ２又はＤ３が導き出される。
【００６６】
上記の図６と図８（ｂ）の例を比較すると、図６の光ドロップケーブル部２０の有効投影面積Ｄ４は、図８（ｂ）の光ドロップケーブル部２０の有効投影面積Ｄ３に比べてＤ５分だけ増大するものの、この構成では、光ファイバケーブル部２０が支持線部１０の上下に対称配置されるために、光ファイバケーブル部２０全体にかかる揚力のベクトルはそれぞれ上下配置の部分で相殺されるため、結果としてこの光ファイバケーブル部２０の振動を抑え、自励振動を防ぐことになるので、光ドロップケーブル１００のギャロッピングやダンシングを防ぐ効果を奏することができる。
【００６７】
また、図８（ｂ）の例では、図６の例に比べてＤ５分だけ光ドロップケーブル部２０の有効投影面積が少ないので、この分だけ風圧による影響を受けなくなるために、この風に基づいて光ドロップケーブル１００は支持線部１０を中心として回転し難くなる。従い、光ドロップケーブル１００の振動を抑え、自励振動を防ぐことになるので、光ドロップケーブル１００のギャロッピングやダンシングを防ぐ効果を奏することができる。
【００６８】
また、図８（ａ）、（ｂ）の例を比較すると、図８（ａ）の例では、光ファイバケーブル部２０の有効投影面積Ｄ２は、図８（ｂ）の光ファイバケーブル部２０の有効投影面積Ｄ３より大であるが、この構成では、光ファイバケーブル部２０は、図に示す如く連結部３０の中央３１を中心として支持線部１０とほぼ同一断面の円盤状形体１１であって対称配置とされるために、支持線部１０と光ファイバケーブル部２０が受ける風圧の力はそれぞれ均一となるため、光ドロップケーブル１００の振動を抑え、自励振動を防ぐことになるので、光ドロップケーブル１００のギャロッピングやダンシングを防ぐ効果を奏することができる。
【００６９】
これに対し、図８（ｂ）の光ファイバケーブル部２０の有効投影面積Ｄ３は、図８（ａ）の光ファイバケーブル部２０の有効投影面積Ｄ２よりも少ないために、この分だけ風圧による影響を受けなくなるために、この風に基づいて光ドロップケーブル１００は支持線部１０を中心として回転し難くなる。
【００７０】
なお、上記の増大分面積Ｄ５は、光ファイバケーブル部２０の鉛直方向の高さが支持線部１０の高さよりも超える場合に起こり、つまり上記基準配置位置Ｏにおける捻回角度θが±９０°以上となると起こり得るが、上述の本実施例の構造とすれば、光ファイバケーブル部２０の振動を抑え、自励振動を防ぐ効果を奏することができるので、捻回角度θが±９０°以上となった場合においても、光ドロップケーブル１００のギャロッピングやダンシングを効果的に防ぐことができる。このように、上述の本実施例の構成は、光ドロップケーブルへの風の風圧による受ける力を分散することができるＳＺ撚り構造に好適である。
【００７１】
従って、本実施例においては、上述したように、光ドロップケーブル１００を垂直方向任意の位置で断面したときに、光ファイバケーブル部２０は、連結部３０の中央３１を中心として支持線部１０とほぼ同一断面の円盤状形体１１であって対称配置されることを基本として、垂直方向の支持線部側および反対側外径２１、２３はほぼ同一断面の円盤状形体１１を保持し、左右の両端部側外線２５、２７は、円盤状形体１１を欠落させた直線状又は曲線状に形成することで、架空配設時にこの光ドロップケーブル１００が風による風圧を受けた際に、この光ドロップケーブル１００が受ける強風に基づいて起こるギャロッピングやダンシングを防ぐことができるという耐風特性に優れたものとすることができる。
【００７２】
また、本実施例の光ドロップケーブル１００は、上述の図６、図８（ａ）、（ｂ）の例のように、光ファイバケーブル部２０の断面形状を、上述の効果を奏する範囲において変形して構成してもよい。従って、架空配線の条件に応じて、光ファイバケーブル部２０の断面形状を設定することで、適宜、上述と同様の効果を奏する光ドロップケーブルを提供することができる。
【００７３】
また、本実施例の光ドロップケーブル１００は、光ファイバケーブル部２０は、垂直方向の支持線部側および反対側外径２１、２３のトータル外径は、上記基本となる円盤状形体１１の断面の外径の半分以上を保持する構成としても、上述と同様の効果を奏する光ドロップケーブルを提供することができる。
【００７４】
また、本実施例の光ドロップケーブル１００は、光ファイバケーブル部２０に、図１に示すように、上記左右の両端部側の双方の外線２５、２７からなる部分に光ファイバケーブル部２０の光軸である長手方向に連続したノッチ２８を形成してもよい。この構成とすることで、光ファイバケーブル部２０のシース２６の引裂き性を向上することができ、しかも上述と同様の効果を奏することができる。
【００７５】
また、上述の構成である本実施例は、撚り周期Ｔを５００ｍｍ以上８０００ｍｍ以下にして構成することができる。このようにすることで、より少ないピッチで支持線部１０の周りに光ファイバケーブル部２０を捻回することができ、上述と同様の効果を奏することができる。
【００７６】
また、この構成によれば、上記光ファイバケーブル部２０は少ない撚り周期でＳＺ撚りにて設けているので、光ファイバケーブル部２０は支持線部１０に対して十分長くとって構成することができ、この光ドロップケーブル１００へ流れる強風に基づく支持線部１０の伸びに伴い光ファイバケーブル部２０が伸びることを防ぐことができ、もって伝送損失を防ぐことができる。
【００７７】
このように、本実施例の光ドロップケーブルは、上記捻回の１周期の長さは５００ｍｍ以上８０００ｍｍ以内であることを特徴としている。
【００７８】
なお、本実施例の光ドロップケーブル１００では、この光ドロップケーブル１００の製造時における光ファイバの束取りの施工性を鑑みて、撚り周期Ｔを１００００ｍｍ以内としてもよく、この構成であっても上述の効果を奏することができる。
【００７９】
また、本実施例の光ドロップケーブル１００は、支持線部１０や光ファイバケーブル部２０が上述の寸法である際は、上述の左右の両端部側外線２１、２３は、円盤状形体１１を欠落させた直線状又は曲線状に形成する際は、各両端部のコーナーはＲ＝０．８ｍｍ程度とすることが好ましく、この構成であっても上述と同様の効果を奏する光ドロップケーブルを提供することができる。
【００８０】
このように、本実施例の光ドロップケーブルは、支持線部とほぼ同一断面の円盤状形体であって対称配置されることを基本として、垂直方向の支持線部側および反対側外径はほぼ同一断面の円盤状形体を保持し、左右の両端部側外線は、円盤状形体を欠落させた直線状又は曲線状に形成する範囲において、光ファイバケーブル部の高さ、幅寸法（もしくは外径寸法）が小さくなることにより、この光ファイバケーブル部が支持線部の周りを捻回することにより受ける曲げ応力を少なくすることができるために、より少ないピッチですなわちより少ない撚り周期で支持線部の周りに捻回することができる。
【００８１】
本実施例の光ドロップケーブルは、上述のように構成しているので、架空配設時にこの光ドロップケーブルが風による風圧を受けた際に、光ドロップケーブルが受ける風に基づいて起こるギャロッピングやダンシングを防ぐことができるという耐風特性に優れ、しかも従来とほぼ同等の製造工程である装置によって容易に製造することができる経済的な光ドロップケーブルを提供することができる。
【００８２】
なお、本実施例の光ドロップケーブルは、上述の主旨において効果を奏する範囲において変更することができ、例えば、上述の実施例で適用した捻回角度や撚り周期の値に限られない。
【符号の説明】
【００８３】
２…支持線の中心軸、３…連結部の中央線、４…光ファイバの中心軸、１０…支持線部、１１…円盤状形体、１２…鋼線、１４、２６…シース、２０…光ファイバケーブル部、２１…支持線部側外径、２２…光ファイバ心線、２３…反対側外径、２４…抗張力体、２５、２７…左右の両端部側外線、３０…連結部、３１…連結部の中央、４０…シース体、１００…光ドロップケーブル、Ｄ１、Ｄ２、Ｄ３、Ｄ４、Ｄ５…有効投影面積、Ｔ…撚り周期、ｒ…捻回方向、θ…捻回角度。
【図１】
2014164235.tif 000003
【図２】
2014164235.tif 000004
【図３】
2014164235.tif 000005
【図４】
2014164235.tif 000006
【図５】
2014164235.tif 000007
【図６】
2014164235.tif 000008
【図７】
2014164235.tif 000009
【図８】
2014164235.tif 000010